(57)【要約】  【課題】  商品収納庫を加熱冷却領域と非加熱冷却領域に上下に分割し、非加熱冷却領域への加熱もしくは冷却時の熱侵入、熱流出を極力少なくして、消費電力を低減し、ホット商品の劣化防止の性能を向上させる自動販売機を提供する。  【解決手段】  断熱材に囲まれた商品収納庫に、上部下部に二分して適宜商品を縦方向に収納し順次下方向に搬出する機能を有した商品ラックと、該上部下部ラックとの間に介装した断熱構造のシャッタ装置と、庫内底部に配した商品の冷却／加熱装置と、庫内背面に循環ダクトを配設した自動販売機において、  前記商品収納庫内における前記シャッタ装置の側部下方に吸込み口を有し、上記循環ダクトの吸込み口と対峙した吹出し口を有する横吸い込みダクトを配設する。【選択図】      図１
2005301330.tif 000002
【特許請求の範囲】
【請求項１】
断熱材に囲まれた商品収納庫に、上部下部に二分して適宜商品を縦方向に収納し順次下方向に搬出する機能を有した商品ラックと、該ラックの左右側板の間であって該上部下部ラックとの間に介装した断熱構造のシャッタ装置と、庫内底部に配した商品の冷却／加熱装置と、庫内背面に循環ダクトを配設した自動販売機において、
前記商品収納庫内における前記シャッタ装置に循環風によるエアカーテンを形成することを特徴とする自動販売機。
【請求項２】
断熱材に囲まれた商品収納庫に、上部下部に二分して適宜商品を縦方向に収納し順次下方向に搬出する機能を有した商品ラックと、該ラックの左右側板の間であって該上部下部ラックとの間に介装した断熱構造のシャッタ装置と、庫内底部に配した商品の冷却／加熱装置と、庫内背面に循環ダクトを配設した自動販売機において、
前記商品収納庫内における該ラックの左右側板の一方または両方の面に当接し、かつ前記シャッタ装置の下方に吸込み口を有し、上記循環ダクトの吸込み口と対峙した吹出し口を有する側部通路手段を配設したことを特徴とする自動販売機。
【発明の詳細な説明】
【技術分野】
【０００１】
本発明は、缶、ビン、パック、ペットボトルなどの容器に入れた飲料などの商品を冷却もしくは加熱して販売に供する自動販売機に関するものである。
【背景技術】
【０００２】
従来、この種の自動販売機としては、商品収納庫内を上下に分割して上部を常温とし、下部のみを冷却若しくは加温することにより、効果的な省エネと加温劣化防止を目的としたものが知られている。（例えば特許文献１）
この自動販売機は、いわゆる２分割ラック自動販売機と云われ、商品ラックを上下に分割しその中間にシャッタ装置を取設して、商品収納庫内の下部に収納された商品のみを集中して冷却／加熱を行うように構成されたものである。より具体的に説明すると、商品収納庫内の底部に配設された冷却／加熱装置から吹出される冷気／暖気は、商品ラックの下部商品を冷却／加熱した後、上記シャッタ装置の下面に沿って循環ダクトの吸込み口部に吸入され、該循環ダクト内部を通過して冷却／加熱装置に戻り再び冷却／加熱されるという循環を行う。一方、商品ラック上部の商品は、冷却／加熱装置から吹出される冷気／暖気は上記シャッタ装置にて遮断され、常温にて保存される状態となっている。そのため、冷却／加熱が商品収納庫内の下部でのみ行われることになり、消費電力が少なく、効果的な省エネを行うことができると共に、加熱運転時には商品ラック上部の商品は常温で保存されることになり、長期間加熱状態で保存されることによる商品の劣化を防止することができる。
【０００３】
なお、商品ラック上部の商品は、商品が販売される都度、または下部の商品が所定量に減少した時などに制御装置の指令により適宜商品ラック下部へ搬送補給される。
【特許文献１】特開平１０−９１８５５号公報（第４頁、図１）
【発明の開示】
【発明が解決しようとする課題】
【０００４】
しかしながら、シャッタ装置は気流遮蔽と熱断熱の構造に形成されているけれども、下記の問題点があった。
【０００５】
１）シャッタ装置は、商品ラック上部の商品を下部に供給する開閉駆動を行う機構であるためにその駆動部と固定部との間、または駆動部相互の間に上下間を連通する隙間が存在する。その隙間を通して漏れる冷気／暖気の流出入の分だけ冷却／加熱による消費電力が増加することになる。
【０００６】
２）冷気／暖気の気流は、商品を冷却／加熱後においてシャッタ装置の下面に直接衝突するため、シャッタ装置自体が冷却／加熱され、その熱が熱伝導、熱伝達により商品ラック上部の商品に伝えられ、その分だけ冷却／加熱による消費電力が増加することになる。
【０００７】
３）特に加熱運転時には、しかも、長時間販売が行われなかった場合には、商品ラック上部の商品の中で下部に位置する商品が加温状態で長期間保存される場合があり、ホット商品劣化の危惧がある。
【０００８】
本発明は上記の点に鑑みてなされたものであり、非加熱冷却領域への加熱もしくは冷却時の熱侵入、熱流出を極力少なくして、消費電力を低減し、ホット商品の劣化防止の性能を向上させることのできる自動販売機を提供することを目的とする。
【課題を解決するための手段】
【０００９】
上記の目的を達成するために、本発明の請求項１に係る自動販売機は、断熱材に囲まれた商品収納庫に、上部下部に二分して適宜商品を縦方向に収納し順次下方向に搬出する機能を有した商品ラックと、該ラックの左右側板の間であって該上部下部ラックとの間に介装した断熱構造のシャッタ装置と、庫内底部に配した商品の冷却／加熱装置と、庫内背面に循環ダクトを配設した自動販売機において、
前記商品収納庫内における前記シャッタ装置に循環風によるエアカーテンを形成することを特徴とする。
【００１０】
また、本発明の請求項２に係る自動販売機は、断熱材に囲まれた商品収納庫に、上部下部に二分して適宜商品を縦方向に収納し順次下方向に搬出する機能を有した商品ラックと、該ラックの左右側板の間であって該上部下部ラックとの間に介装した断熱構造のシャッタ装置と、庫内底部に配した商品の冷却／加熱装置と、庫内背面に循環ダクトを配設した自動販売機において、
前記商品収納庫内における該ラックの左右側板の一方または両方の面に当接し、かつ前記シャッタ装置の下方に吸込み口を有し、上記循環ダクトの吸込み口と対峙した吹出し口を有する側部通路手段を配設したことを特徴とする
【発明の効果】
【００１１】
以上の説明から明らかなように、本発明の請求項にかかる自動販売機によれば、商品収納庫内における前記シャッタ装置に循環風によるエアカーテンを形成することにより、また具体的には、側部通路手段をシャッタ装置の側部下方に吸込み口を有し、上記循環ダクトと連通した側部通路手段を配設したことにより、ファンより商品へ向かう風は、シャッタ装置部内に形成された隙間より流出入する漏れ熱流量を極力減らし、また、シャッタ装置に衝突することによりシャッタ装置自体が加温されその上方に収納される商品を加熱されることを防ぐことができるので、消費電力を低減させる効果を奏する。
【００１２】
また、加熱運転時には、商品ラック上部の商品が加温状態で長期間保存されることを防ぎ、ホット商品の劣化防止の性能を向上させる効果を奏する。
【発明を実施するための最良の形態】
【００１３】
以下に添付図面を参照して、本発明に係る好適な実施の形態を詳細に説明する。なお、この実施の形態によりこの発明が限定されることはない。
【００１４】
図１は本発明による自動販売機の実施の形態１を示す側面図であり、図２はシャッタ装置周辺の断面図を示す。図３は、図１において、商品ラックおよび横吸込みダクト部などの要部を示す斜視図である。
【００１５】
始めに自動販売機の全体構成を説明し、次に本発明に係る冷却／加熱の気流の流れを説明する。図１において、１は自動販売機キャビネットの内壁に断熱筐体を形成し前面に開口部を有する商品収納庫、２は販売商品のディスプレイ室，およびコイン機構，商品選択ボタンなどの販売操作部を装備した前面外扉、２ａは外扉２の下部に備えた商品取出口、３は断熱内扉であり、商品収納庫１と断熱内扉３により外部からの熱侵入を防止している。４は商品収納庫１の庫内底部に配置した蒸発器（冷凍機のエバポレータ）４ａ，電熱ヒータ４ｂ，ファン４ｃ，風胴４ｄの組立体としてなる冷却／加熱ユニットであり、冷気／暖気を循環させることにより商品収納庫１内を冷却／加熱する。５は商品取出口２ａに通じる商品搬出シュータであり、その平面部には冷気／暖気を通過させる多数の孔が穿孔されている。６は、商品搬出シュータ５のその上方に位置し、商品収納部を上部下部に二分して組み合わせたサーペンタイン式の商品ラックであり、その外形寸法（左右，奥行き）が商品収納庫内１に画成されたスペースの断面に合わせて設計されている。７は、商品ラック６の上部に取設されたトップトレイ８より順次収納され、商品収納庫内１において冷却／加熱された後に販売される商品である。９は、上部下部に二分割された位置に取設されたシャッタ装置であり、通常は閉止状態にあり上部の商品７が落下した時にその重力で開放され、商品７がシャッタ装置９を通過後は付勢力により再び閉止される。１０は、上部、下部の商品ラック６の下端に取設された切り出し装置であり、下部の商品ラックに取設された切り出し装置１０ａは販売信号により動作して商品を払い出す機能を有し、上部の商品ラック６に取設された切り出し装置１０ｂは下部の商品が減少した時に制御装置（図示せず）の指令により適宜下部の商品ラックに搬送補給する機能を有する。１１は、商品収納庫内１にて商品を冷却／加熱した冷気／暖気を回収して再び冷却／加熱装置４へ循環させる循環ダクトであり、シャッタ装置９の下方にその背面吸込み口１１ａを有し、蒸発器４ａに対峙した位置に吹出し口を有する。１２は、商品収納庫内１にて商品を冷却／加熱した冷気／暖気を商品ラック６の側面から吸込み、循環ダクト１１へ導く側部通路手段としての横吸込みダクトであり、シャッタ装置９の側面下方に配設されている。１３は、ファン４ｃより吐出した冷気／暖気が商品ラック６の前面と断熱内扉３の間を通過し上部へ流入することを防ぐために遮風材であり、横吸込みダクト１２の上縁端と当接して商品ラック６の前面に貼着されている。
【００１６】
ここで、サーペンタイン式商品ラック６は、よく知られているように左右のラック側板の間に円弧状のレールセグメントを架設した蛇行状の商品通路（コラム）を画成し、各コラムごとにその上端側には商品投入用のトップトレイ８が、また下部搬出端側には切り出し装置を装備した構成になる。なお、図示例のラックではコラムが前後５列に並んでいる。また、図示してないが、商品収納庫１の内部は一般に断熱隔壁を介して左右に並ぶ複数の部屋に間仕切りされており、各部屋ごとに商品ラック６，および冷却専用ユニット，ないしは冷却／加熱ユニット４を設置してコールド商品室，あるいはコールド／ホット商品室として使い分けるようにしている。
【００１７】
また、サーペンタイン式商品ラック６は、その商品収納部が上段ラック部６Ａと下段ラック部６Ｂとに二分されており、かつ上段ラック部６Ａと下段ラック部６Ｂとの間に断熱構造になるシャッタ装置９が介装されている。これにより、シャッタ装置９を遮熱用間仕切りとして、商品収納庫１の内部が保冷，ないし加温される下半の加熱冷却領域１ａと、該加熱冷却領域１ａから遮熱された上半の非加熱冷却領域１ｂ（常温に近い）とに区分される。
【００１８】
また、シャッタ装置９の構造は図２で示すように、商品収納庫１の庫内奥行き寸法に相応した前後方向の長さ，商品ラック６のコラム幅に合わせた横幅を有するシャッタ取付フレーム９ａと、前後列に並ぶ商品ラック６のコラムに合わせて取付フレーム９ａの上面側に設置した断熱材の中仕切板９ｂと、各コラムに対応して取付フレーム９ａに軸支した揺動開放式の断熱シャッタ９ｃとの組立体からなる。また、断熱シャッタ９ｃは例えば伝熱性の低い硬質樹脂などで作られたもので、二枚を１組として下方へ観音開き式に軸支されており、図３で示すようにその支軸に付勢ばね（捩じりコイルばね）９ｄを設けてシャッタ９ｃを閉じる方向に付勢した自動復帰式のシャッタとしてなる。
【００１９】
また、横吸込みダクト１２の構造は、図３で示すように、シャッタ装置９の下方位置であって商品ラック６の側面上に前方を閉鎖したコの字状に貼付した長尺の通路遮風材１２aと、該コの字状に貼付した長尺の通路遮風材１２aの１辺が開口された吹出し口１２ｂと、商品ラック６の側面上で該通路遮風材１２aの内部の位置に商品ラック６の側面に穿孔された複数の穴で兼用された吸込み口１２ｃとにより構成されている。吹出し口１５ｂは、循環ダクト１０の背面吸込み口１０ａと対峙し、吹出し口１５ｂより流出する冷気／暖気の流体抵抗が少ない位置に配設されている。
【００２０】
なお、図３では横吸込みダクト１２が正面より見て商品ラック６の右側に取設されているが、左側、２個の商品ラックの間に取設されても良い。また、複数位置に取設されて良い。
【００２１】
かかる構成において、次に冷却／加熱に関する気流の流れに関する説明をする。図１，３の矢印で示すようにファン４ｃより商品７へ向かう冷気／暖気は、シュータ５の孔を通過し、商品７を下から順次加熱／冷却した後、横吸込みダクト１２の吸込み口１２ｂより横吸込みダクト１２の内部を通過して循環ダクト１１の背面吸込み口１１ａに流れ、蒸発器、ヒータに戻り再加熱／冷却が行われる。この循環が継続して行われることにより、下部側商品は、適温に加熱／冷却されることになる。
【００２２】
すなわち、このような構成とすることにより、シャッタ装置の下部にエアカーテンが構成され、商品ラック６内のシャッタ装置９の上部への気流の洩れを少なくすることが出来る。具体的には、シャッタ装置９の下面までに到達する冷気／暖気の流量が減少し、断熱シャッタ９ｃに直接衝突する流速が低減され、またシャッタ装置の隙間から上部の商品庫内に流出する冷気／暖気の流量も著しく低減されることになる。このため、断熱装置９自体が直接的に冷却／加熱されて熱伝導により商品７が冷却／加熱されることを防止し、また洩れた冷却／加熱風による商品への熱伝達が減少するため、上部商品が必要以上に冷却／加熱されることがなく、電力消費を低減できる。また、加熱運転時においては、商品ラック６の上部に収納された商品が長期間加熱されることなく常温点近くで保存されることなり、品質劣化を防止できるという効果を奏する。
【図面の簡単な説明】
【００２３】
【図１】本発明による自動販売機の実施の形態を示す側面図である。
【図２】図２は、図１において、シャッタ装置周辺の断面図である。
【図３】図３は、図１において、商品ラックおよび横吸込みダクト部などの要部を示す斜視図である。
【符号の説明】
【００２４】
１     商品収納庫
１ａ  加熱冷却領域
１ｂ  非加熱冷却領域
４ａ  冷却装置
４ｂ    電熱ヒータ
４ｃ    ファン
５     シュータ
６     商品ラック
７     商品
９    シャッタ装置
１０  切り出し装置
１１  循環ダクト
１２  横吸込みダクト
【図１】
2005301330.tif 000003
【図２】
2005301330.tif 000004
【図３】
2005301330.tif 000005